(57)【要約】【課題】キャップの過度の締付けを防止し、締付けのシール性を確保し、かつキャップの操作性を向上する。【解決手段】作動流体を収容するタンクと、前記タンクに対する作動流体の充填口を閉鎖するキャップを含み、前記タンク側又はキャップ側の何れか一方にて突出して形成された雄ねじ部を有し、他方にて前記雄ねじ部と螺合する雌ねじ部を有し、前記キャップとタンクの充填口との間に介装され押圧により径方向に広がるシール部材を備え、前記雄ねじ部と前記雌ねじ部とを螺合する際に、前記雄ねじ部を螺旋状に周回するねじ山の始端の山形突部が、前記雌ねじ部のねじ溝に形成された突起部に当接、通過する際にクリック感を生じると共に、前記シール部材が押圧されて径方向に広がりキャップとタンクの充填口との間をシールし、さらに締め付けることで雄ねじ部のストッパ段部が、前記雌ねじ部の突起部に突き当たってキャップの締め付けが停止する構成とした。【選択図】図２
2017047954.tif 000002
【特許請求の範囲】
【請求項１】
内燃機関で駆動される作業機の作動流体を収容するタンクと、前記タンクに対する作動流体の充填口を閉鎖するキャップとを含み、前記タンク側又はキャップ側の何れか一方にて突出して形成された雄ねじ部を有し、他方にて前記雄ねじ部と螺合する雌ねじ部を有して成り、前記雄ねじ部と前記雌ねじ部とを螺合して前記タンクの充填口をキャップで閉鎖する作動流体タンクのキャップ締付構造であって、
前記キャップとタンクの充填口との間に介装され押圧により径方向に広がるシール部材を備え、
前記雄ねじ部と前記雌ねじ部とを螺合して締め付ける際に、前記雄ねじ部の外周面を螺旋状に周回するねじ山の始端に形成された山形突部が、前記雌ねじ部の内周面を螺旋状に周回するねじ溝の１箇所に形成された突起部に当接して通過するときにクリック感を生起すると共に、前記シール部材が押圧されて径方向に広がって前記キャップとタンクの充填口との間をシールし、さらに締め付けることで前記雄ねじ部のねじ山の１箇所に形成されたストッパ段部が、前記雌ねじ部のねじ溝の前記突起部に突き当たって前記キャップの締め付けが停止する構成としたことを特徴とする作動流体タンクのキャップ締付構造。
【請求項２】
前記雄ねじ部のねじ山の始端に形成された山形突部は、前記雄ねじ部の締付方向の前端側から後方に向けてせり上がる傾斜面を有することを特徴とする請求項１に記載の作動流体タンクのキャップ締付構造。
【請求項３】
前記雄ねじ部のねじ山に形成されたストッパ段部は、前記山形突部から予め定めた距離の位置に形成されていることを特徴とする請求項１又は２に記載の作動流体タンクのキャップ締付構造。
【請求項４】
前記雌ねじ部のねじ溝に形成された突起部は、該ねじ溝の始端から予め定めた距離の位置に形成されていることを特徴とする請求項１〜３のいずれか１項に記載の作動流体タンクのキャップ締付構造。
【請求項５】
前記キャップとタンクの充填口との間に介装されたシール部材の外周部が当接する部分は、全周にわたって前記充填口の外側に対して内側が狭くなるテーパー状に形成されていることを特徴とする請求項１〜４のいずれか１項に記載の作動流体タンクのキャップ締付構造。
【請求項６】
前記キャップの上面側には、該キャップの開閉操作の操作方向の目安となる標示が付してあり、前記タンクの充填口の周囲には、前記キャップを前記充填口に挿入する位置、前記シール部材により前記キャップとタンクの充填口との間をシールする位置を目視確認するためのマークが付してあることを特徴とする請求項１〜５のいずれか１項に記載の作動流体タンクのキャップ締付構造。
【請求項７】
前記雄ねじ部のねじ山は、該雄ねじ部の外周面を１周することを特徴とする請求項１〜６のいずれか１項に記載の作動流体タンクのキャップ締付構造。
【請求項８】
前記雌ねじ部のねじ溝は、前記雌ねじ部の内周面を１周することを特徴とする請求項１〜７のいずれか１項に記載の作動流体タンクのキャップ締付構造。
【発明の詳細な説明】
【技術分野】
【０００１】
本発明は、内燃機関で駆動される作業機の作動流体（燃料、エンジンオイル、潤滑油等）を収容するタンクに対する作動流体の充填口を閉鎖するキャップを、前記充填口に装着して締め付ける作動流体タンクのキャップ締付構造に関し、詳しくは、構造が簡単で、キャップの過度の締め付けを防止すると共に締め付けのシール性を確保し、該キャップの操作性を向上する作動流体タンクのキャップ締付構造に係るものである。
【背景技術】
【０００２】
従来、チェンソー、切断機、刈払い機等の手で操縦され内燃機関で駆動される作業機の容器、特に作動流体（燃料、エンジンオイル、潤滑油等）を収容している容器の充填口を閉鎖するための閉鎖キャップとしては、例えば特許文献１に記載されたようなものがある。その閉鎖キャップの構造は、概略次のようになっている。作業機のケーシング内の一部の領域にはオイルタンクが形成され、他の領域には燃料タンクが形成されている。前記オイルタンク及び燃料タンクは、それぞれの閉鎖キャップにより閉鎖される充填口を有している。前記充填口には雌ねじが設けられ、前記閉鎖キャップの本体は中心縦軸線のまわりに筒状に形成されており、その筒状の本体には雄ねじが設けられている。そして、前記雄ねじと前記雌ねじとを螺合して前記各タンクの充填口を閉鎖キャップにより閉鎖するようになっていた。
【先行技術文献】
【特許文献】
【０００３】
【特許文献１】特開平１０−８６６８１号公報
【発明の概要】
【発明が解決しようとする課題】
【０００４】
前記チェンソー等では、上述のように燃料タンクやオイルタンクが必要で、それらには密閉性のあるキャップが装着される。前記燃料タンクは主にガソリン又はオイルとの混合ガソリンを入れ、前記オイルタンクにはチェーンオイルを入れる。前記キャップは、主にナイロン樹脂製でシールのためのＯリング、ゴムパッキン材又はガスケット等が装着されている。ガソリンタンクに使用するときは、高度なシール性、耐圧性が要求され、オイルタンクに使用するときは、オイルの粘性が強くくっついてしまうので、トルクが高くならず、緩め易さが要求される。このような要求に応えるため、従来、各種の工夫が凝らされてきたが、キャップ又は充填口の構造が複雑になったり、或いは、複雑な構造とならないようにした場合は、キャップをどこまで締め付けてシールがされたか、逆にキャップが緩んでシールが不十分になったかが分からない不安定な状態が生起されたりする。これに対して、キャップを強く締め付け過ぎて、操作者の手では緩められなくなる場合も生起されることがあった。
【０００５】
そこで、このような問題点に対処し、本発明が解決しようとする課題は、構造が簡単で、キャップの過度の締め付けを防止すると共に締め付けのシール性を確保し、該キャップの操作性を向上する作動流体タンクのキャップ締付構造を提供することにある。
【課題を解決するための手段】
【０００６】
前記課題を解決するために、本発明による作動流体タンクのキャップ締付構造は、内燃機関で駆動される作業機の作動流体を収容するタンクと、前記タンクに対する作動流体の充填口を閉鎖するキャップとを含み、前記タンク側又はキャップ側の何れか一方にて突出して形成された雄ねじ部を有し、他方にて前記雄ねじ部と螺合する雌ねじ部を有して成り、前記雄ねじ部と前記雌ねじ部とを螺合して前記タンクの充填口をキャップで閉鎖する作動流体タンクのキャップ締付構造であって、前記キャップとタンクの充填口との間に介装され押圧により径方向に広がるシール部材を備え、前記雄ねじ部と前記雌ねじ部とを螺合して締め付ける際に、前記雄ねじ部の外周面を螺旋状に周回するねじ山の始端に形成された山形突部が、前記雌ねじ部の内周面を螺旋状に周回するねじ溝の１箇所に形成された突起部に当接して通過するときにクリック感を生起すると共に、前記シール部材が押圧されて径方向に広がって前記キャップとタンクの充填口との間をシールし、さらに締め付けることで前記雄ねじ部のねじ山の１箇所に形成されたストッパ段部が、前記雌ねじ部のねじ溝の前記突起部に突き当たって前記キャップの締め付けが停止する構成としたものである。
【発明の効果】
【０００７】
本発明による作動流体タンクのキャップ締付構造によれば、タンク側又はキャップ側の何れか一方にて突出して形成された雄ねじ部を有し、他方にて前記雄ねじ部と螺合する雌ねじ部を有して成り、前記キャップとタンクの充填口との間に介装され押圧により径方向に広がるシール部材を備え、前記雄ねじ部と前記雌ねじ部とを螺合して締め付ける際に、前記雄ねじ部の外周面を螺旋状に周回するねじ山の始端に形成された山形突部が、前記雌ねじ部の内周面を螺旋状に周回するねじ溝の１箇所に形成された突起部に当接して通過するときにクリック感を生起すると共に、前記シール部材が押圧されて径方向に広がって前記キャップとタンクの充填口との間を閉鎖し、さらに締め付けることで前記雄ねじ部のねじ山の１箇所に形成されたストッパ段部が、前記雌ねじ部のねじ溝の前記突起部に突き当たって前記キャップの締め付けが停止するようにすることができる。したがって、構造が簡単で、キャップの過度の締め付けを防止すると共に締め付けのシール性を確保し、該キャップの操作性を向上することができる。
【図面の簡単な説明】
【０００８】
【図１】本発明による作動流体タンクのキャップ締付構造が適用される携帯用作業機の一例を示す左側面図である。
【図２】前記携帯用作業機に適用される作動流体タンクのキャップ締付構造の実施形態を示す要部分解斜視図であり、（ａ）はキャップを示す斜視図であり、（ｂ）はタンクの充填口の周囲部分を切り取った状態を示す斜視図である。
【図３】前記キャップを示す正面図である。
【図４】前記切り取ったタンクの充填口を示す図であり、（ａ）はその平面図を示し、（ｂ）はその背面図を示し、（ｃ）は（ａ）のＹ−Ｙ線断面図を示している。
【図５】前記タンクの充填口に前記キャップを螺合して締め付ける状態を示す説明図であり、（ａ）は充填口にキャップを挿入した状態を示す斜視図であり、（ｂ）はその状態を示す一部断面図である。
【図６】前記タンクの充填口に前記キャップを螺合して締め付ける状態を示す説明図であり、（ａ）は充填口にキャップを挿入して回転しシールする状態を示す斜視図であり、（ｂ）はその状態を示す一部断面図である。
【図７】前記タンクの充填口に前記キャップを螺合して締め付ける状態を示す説明図であり、（ａ）は充填口にキャップを挿入して回転しクリック感を生起する状態を示す斜視図であり、（ｂ）はその状態を示す一部断面図である。
【図８】前記タンクの充填口に前記キャップを螺合して締め付ける状態を示す説明図であり、（ａ）は充填口にキャップを挿入して回転し前記キャップの締め付けが停止する状態を示す斜視図であり、（ｂ）はその状態を示す一部断面図である。
【発明を実施するための形態】
【０００９】
以下、本発明の実施の形態を添付図面に基づいて説明する。
図１は本発明による作動流体タンクのキャップ締付構造が適用される携帯用作業機の一例を示す左側面図である。
【００１０】
この携帯用作業機は、内燃機関（エンジン）を動力源とするチェンソー、刈払機、送風機等に適用されるものであり、図１は、本発明をチェンソーに適用した例を示す。携帯用作業機としてのチェンソーは、作業部品１であるガイドバー２及びソーチェン３を装着してエンジンの駆動により木材等の切断作業を行うもので、側面視で略コ字形に形成されたエンジンケース（図１では本体ケース４内にあり見えない）の内側空間にエンジン（図示省略）を配置し、前記本体ケース４の左側前部に取り付けられるスタータケース５と、前記本体ケース４の上壁に配置された操作用のハンドル６とを有している。前記操作用のハンドル６はトップハンドルと呼ばれることがあり、このようなトップハンドルを備えたチェンソーは、トップハンドルチェンソー又はトップハンドルソーと呼ばれる。なお、エンジンは、前記ハンドル６に配置されたスイッチ７を操作することにより駆動を制御される。また、図１において、符号８は切断作業の緊急停止のブレーキを掛けるフロントハンドガードを示し、符号９はサイドハンドルを示す。さらに、前記スタータケース５内には、リコイルスタータ（図１では見えない）が収納されており、把手１０ａを引いてリコイルスタータのリールに端部が固定されたロープを牽引して、エンジンを始動するようになっている。
【００１１】
作業部品１は、木材等の切断作業を行うもので、エンジンで駆動される回転駆動部の近傍に連結される細長板状のガイドバー２と、そのガイドバー２の周縁部に巻回されて走行するソーチェン３とから成る。
【００１２】
前記作業部品１を駆動するエンジンは、前記エンジンケースの内側空間に配置される。エンジンケースは、前記エンジンを搭載する基部材となるもので、側面視で略コ字形に形成されており、そのコ字形の内側空間にエンジンが配置されている。
【００１３】
前記スタータケース５は、上述のように、側面視で略コ字形に形成されて内部空間にエンジンを配置したエンジンケースに、複数個（例えば４個）のネジによるネジ止めにより装着され、本体ケース４の左側側部カバーを構成し、内部に設けられた冷却ファン（図１では省略）を覆っている。なお、スタータケース５には、その側面周壁部に冷却用空気を取り入れるための空気取入口１０ｂが多数形成されている。
【００１４】
図１のように構成された携帯用作業機において、前記本体ケース４の後部側には、その携帯用作業機のエンジンに供給する作動流体（燃料）を収容する燃料タンク１１ａが設けられ、その燃料タンク１１ａに対して燃料を充填する充填口にキャップ１２ａを装着して該充填口を閉鎖するようになっている。また、前記本体ケース４の前部側には、前記携帯用作業機のエンジン等に供給する作動流体（エンジンオイル）を収容するオイルタンク１１ｂが設けられ、そのオイルタンク１１ｂに対してエンジンオイルを充填する充填口にキャップ１２ｂを装着して該充填口を閉鎖するようになっている。そして、前記作動流体を収容するタンク１１（燃料タンク１１ａ，オイルタンク１１ｂ）と、前記タンク１１に対する作動流体の充填口を閉鎖するキャップ１２（キャップ１２ａ，キャップ１２ｂ）とを含んで作動流体タンクのキャップ締付構造を構成している。
【００１５】
図２は、前記携帯用作業機に適用される作動流体タンクのキャップ締付構造の実施形態を示す要部分解斜視図であり、（ａ）はキャップ１２を示す斜視図であり、（ｂ）はタンク１１の充填口１３の周囲部分１４を切り取った状態を示す斜視図である。また、図３は、前記キャップ１２を示す正面図である。なお、図２及び図３においては、後述の雄ねじ部１５をキャップ１２側にて突出して形成し、雌ねじ部１６をタンク１１の充填口１３に形成して、雄ねじ部１５と雌ねじ部１６とを螺合して前記タンク１１の充填口１３をキャップ１２で閉鎖する実施形態を示している。以下においては、この実施形態のキャップ締付構造について説明する。
【００１６】
前記キャップ１２は、前記タンク１１に対して作動流体を充填する充填口１３に挿入、嵌合して該充填口１３を閉鎖するもので、図２（ａ）及び図３に示すように、該キャップ１２の底面側にて中心縦軸に沿って突出した雄ねじ部１５を有している。一方、図２（ｂ）に示すように、前記タンク１１の充填口１３の内周面には前記雄ねじ部１５と螺合する雌ねじ部１６を有している。なお、前記キャップ１２の雄ねじ部１５のねじ山は、該雄ねじ部１５の外周面を螺旋状に１周する程度の長さが望ましい。また、前記タンク１１の充填口１３の雌ねじ部１６のねじ溝は、該雌ねじ部１６の内周面を螺旋状に１周する程度の長さが望ましい。そして、前記雌ねじ部１６のねじ溝は、その始端１７と終端１８とが上下にずれて形成され、それぞれの端部間には周方向に切れ目があけられている（図４（ａ）参照）。
【００１７】
前記キャップ１２の上面側には、細長い角棒状に形成された操作用の摘み１９が形成されており、その摘み１９の下面には前記雄ねじ部１５の外径及びタンク１１の充填口１３の内径よりも大径に形成された円板状のフランジ２０を有している。そして、図３に示すように、前記フランジ２０の底面側にて雄ねじ部１５の根元部には、リング状のシール部材２１が介装されている。このシール部材２１は、図２において、キャップ１２をタンク１１の充填口１３に挿入、嵌合して締め付けた際に、前記充填口１３の内側に張り出した内周縁部２２への押圧により径方向に広がってその外周部面圧により、前記キャップ１２のフランジ２０とタンク１１の充填口１３との間をシールするものであり、例えばＯリング又はゴムパッキン材等から成る。
【００１８】
前記雄ねじ部１５の外周面を螺旋状に周回するねじ山には、図３に示すように、該ねじ山の始端に山形突部２３が形成されている。この山形突部２３は、後述の雌ねじ部１６の内周面を螺旋状に周回するねじ溝の１箇所に形成された突起部２５に当接して通過するときにクリック感を生起させるもので、前記キャップ１２の締付方向の前端側から後方に向けてせり上がる傾斜面を有している。さらに、前記雄ねじ部１５のねじ山の１箇所には、ストッパ段部２４が形成されている。このストッパ段部２４は、後述の雌ねじ部１６のねじ溝の１箇所に形成された突起部２５に突き当たって前記キャップ１２の締め付けを停止させるもので、前記山形突部２３から予め定めた距離の位置に形成されている。
【００１９】
図４は、図２に示すタンク１１の充填口１３の周囲部分１４を切り取ったそのタンク１１の充填口１３を示す図であり、（ａ）はその平面図を示し、（ｂ）はその背面図を示し、（ｃ）は（ａ）のＹ−Ｙ線断面図を示している。この充填口１３は、前記タンク１１に対して作動流体を充填するもので、この充填口１３に対して前記キャップ１２を挿入、嵌合して該充填口１３を閉鎖するようになっている。
【００２０】
図２（ｂ）に示すように、前記タンク１１の充填口１３の内周面には前記雄ねじ部１５と螺合する雌ねじ部１６を有している。この雌ねじ部１６は、雄ねじ部１５のねじ山と螺合するねじ溝を形成する部材であり、前記充填口１３の内周面を螺旋状に１周する程度の長さとされている。前記雌ねじ部１６の裏面側には、図４（ｂ）及び（ｃ）に示すように、ねじ溝の１箇所に突起部２５が形成されている。この突起部２５は、前記雌ねじ部１６のねじ溝の始端１７から予め定めた距離の位置に形成されている。
【００２１】
なお、図４（ｃ）に示すように、前記タンク１１の充填口１３にて、前記キャップ１２のフランジ２０の底面側に備えられたリング状のシール部材２１の外周部が当接する内周面２６は、全周にわたって前記充填口１３の外側に対して内側が狭くなるテーパー状に形成されているのが望ましい。このように前記内周面２６をテーパー状に形成した場合は、後述のように、前記タンク１１の充填口１３の雌ねじ部１６に前記キャップ１２の雄ねじ部１５を螺合して締め付けた際に、キャップ１２のフランジ２０の底面側にて雄ねじ部１５の根元部に介装されたリング状のシール部材２１が、前記キャップ１２の締め付けにより押圧されて径方向に広がった際に、前記内周面２６に対してシール部材２１の外周部がより確実に当接してシール性を確保できる。
【００２２】
そして、図２（ａ）に示すように、前記キャップ１２の上面側にて操作用の摘み１９の一方の端部には、該キャップ１２の開閉操作の操作方向の目安となる標示２７が付してあり、また、図２（ｂ）及び図４（ａ）に示すように、前記タンク１１の充填口１３の周囲には、前記キャップ１２を充填口１３に挿入する位置（２８ａ）、前記シール部材２１により前記キャップ１２のフランジ２０と前記充填口１３との間をシールする位置（２８ｂ）を目視確認するためのマーク２８が付してある。
【００２３】
前記標示２７は、前記タンク１１の充填口１３にキャップ１２を挿入する際に初期位置を合わせたり、該キャップ１２の開閉操作の操作方向（回転角度）を確認する目安となるもので、前記摘み１９の一方の端部に印刷又は刻印等がされている。また、マーク２８ａは、前記キャップ１２を充填口１３に挿入する位置を示すもので、このマーク２８ａに前記キャップ１２の摘み１９の標示２７を合わせることで、キャップ１２の雄ねじ部１５をタンク１１の充填口１３に挿入、螺合することができる。マーク２８ｂは、前記充填口１３に挿入されたキャップ１２の雄ねじ部１５の回転により、シール部材２１により前記キャップ１２のフランジ２０と前記充填口１３との間をシールする位置を目視確認するもので、このマーク２８ｂに前記キャップ１２の摘み１９の標示２７が合致することで、キャップ１２のクリック感が生起されると共に、前記キャップ１２のフランジ２０と前記充填口１３との間のシールを確認することができる。なお、前記マーク２８ａ及び２８ｂは、前記充填口１３の周りのタンク部材に、例えば時計回りの方向に２７０°の間隔で印刷又は刻印等がされている。
【００２４】
次に、このように構成された作動流体タンクのキャップ締付構造により、前記タンク１１の充填口１３の雌ねじ部１６に前記キャップ１２の雄ねじ部１５を螺合して締め付ける状態について、図５〜図８を参照して説明する。
【００２５】
図５は、前記タンク１１の充填口１３（図２（ｂ）参照）に前記キャップ１２を螺合して締め付ける初期状態を示す説明図であり、（ａ）は前記充填口１３にキャップ１２の雄ねじ部１５（図２（ａ）参照）を挿入した状態を示す斜視図であり、（ｂ）はその状態を示す一部断面図である。この場合は、タンク１１のマーク２８ａの位置にキャップ１２の摘み１９の標示２７を合わせて、タンク１１の充填口１３内にキャップ１２の雄ねじ部１５を挿入しただけであり、前記マーク２８ａに対するキャップ１２の摘み１９の回転角度は０°である。なお、このときは、図２（ａ）に示す雄ねじ部１５のねじ山の始端に形成された山形突部２３が、図２（ｂ）に示す雌ねじ部１６のねじ溝の始端１７と終端１８との間の切れ目から前記始端１７の下側に入り込む状態となっている。
【００２６】
図６は、前記タンク１１の充填口１３に前記キャップ１２を螺合して締め付けてシール可能状態となったことを示す説明図であり、（ａ）は充填口１３にキャップ１２の雄ねじ部１５を挿入して回転しシールする状態を示す斜視図であり、（ｂ）はその状態を示す一部断面図である。この場合は、図５（ａ）においてタンク１１のマーク２８ａの位置に合わせたキャップ１２の摘み１９を、そのマーク２８ａの位置を始点として矢印Ａ方向に約２３０°回転させた状態を示している。このとき、図６（ｂ）に示すように、前記キャップ１２の摘み１９の回転に伴って雄ねじ部１５の山形突部２３が、充填口１３の雌ねじ部１６のねじ溝の１箇所に形成された突起部２５の先端に突き当たり（このとき摘み１９の回転操作力が高くなる。）、前記山形突部２３のせり上がる傾斜面との当接作用により前記キャップ１２の全体が下降する。これにより、前記シール部材２１が押圧されて径方向に広がって前記キャップ１２のフランジ２０とタンク１１の充填口１３との間をシールする。
【００２７】
図７は、前記タンク１１の充填口１３に前記キャップ１２を螺合して締め付けてシールした後にクリック感を生起する状態を示す説明図であり、（ａ）は充填口１３にキャップ１２の雄ねじ部１５を挿入して回転しクリック感を生起した状態を示す斜視図であり、（ｂ）はその状態を示す一部断面図である。この場合は、図６（ａ）の状態から、キャップ１２の摘み１９をさらに矢印Ｂ方向に回転させてマーク２８ｂの位置に合わせ、前記マーク２８ａの位置を始点として約２７０°回転させた状態を示している。このとき、図７（ｂ）に示すように、前記キャップ１２の摘み１９の回転に伴って雄ねじ部１５の山形突部２３が、充填口１３の雌ねじ部１６のねじ溝の１箇所に形成された突起部２５の先端に突き当たって下降した後に、前記山形突部２３の頂部が突起部２５を通過したときに前記摘み１９の回転操作力（トルク）が少し小さくなり、摘み１９の回転操作にクリック感が生起する。このクリック感が生じることによって、前記キャップ１２のフランジ２０とタンク１１の充填口１３との間がシールされたことが分かり、キャップ１２の操作性が向上する。
【００２８】
図８は、前記タンク１１の充填口１３に前記キャップ１２を螺合して締め付けた後に、さらに締め付けることで該キャップ１２の締め付けが停止する状態を示す説明図であり、（ａ）は充填口１３にキャップ１２を挿入して回転し前記キャップ１２の締め付けが停止した状態を示す斜視図であり、（ｂ）はその状態を示す一部断面図である。この場合は、図７（ａ）の状態から、キャップ１２の摘み１９をさらに矢印Ｃ方向に回転させてマーク２８ａの位置に合わせ、前記マーク２８ａの位置を始点として約３６０°（１周）回転させた状態を示している。このとき、図８（ｂ）に示すように、前記キャップ１２の摘み１９の回転に伴って雄ねじ部１５のストッパ段部２４が、充填口１３の雌ねじ部１６のねじ溝の１箇所に形成された突起部２５に突き当たって前記キャップ１２の締め付けが停止する。これにより、キャップ１２を確実に１周だけ回転させて、該キャップ１２の過度の締め付けを防止すると共に締め付けのシール性を確保し、前記キャップ１２の操作性が向上する。
【００２９】
なお、前記タンク１１の充填口１３から前記キャップ１２の締め付けを解除して取り外すには、図８に示す状態から上記の操作の逆順に操作（逆方向に回転）して、図５（ａ）に示すように、タンク１１の充填口１３の周りのマーク２８ａの位置に、キャップ１２の摘み１９の標示２７を合わせて該キャップ１２を上方へ取り出せばよい。
【００３０】
また、前述のように、前記タンク１１の充填口１３にキャップ１２を螺合して締め付ける際に、摘み１９の回転操作にクリック感が生じることによって、前記キャップ１２を締め付けるときにどこまで回転させればよいかが分かり、また、該キャップ１２を緩めるときはより大きな逆回転のトルクが掛かってそれを超えなければ緩まないため、充填口閉鎖の安全性が向上する。さらに、図５（ａ）に示すキャップ１２の摘み１９に付された標示２７とタンク１１の充填口１３の周囲に付されたマーク２８ａ，２８ｂを合わせることで、作業機の使用中などにおいてキャップ１２の緩みを防止又は発見することができ、目視確認の視認性・安全性が向上する。
【００３１】
以上においては、雄ねじ部１５をキャップ１２側にて突出して形成し、雌ねじ部１６をタンク１１の充填口１３に形成して、雄ねじ部１５と雌ねじ部１６とを螺合して前記タンク１１の充填口１３をキャップ１２で閉鎖する実施形態について説明したが、本発明はこれに限られず、上記とは逆に、雄ねじ部１５をタンク１１の充填口１３側にて突出して形成し、雌ねじ部１６をキャップ１２の内側に形成して、その雄ねじ部１５と雌ねじ部１６とを螺合して前記タンク１１の充填口１３をキャップ１２で閉鎖するように構成してもよい。
【００３２】
なお、以上の説明では、本発明のキャップ締付構造を、チェンソー、刈払機、送風機等の携帯用作業機に適用したものとしたが、本発明はこれに限られず、内燃機関で駆動されるものならばどのような装置の作動流体タンクであっても適用することができる。
【符号の説明】
【００３３】
１１…タンク
１１ａ…燃料タンク
１１ｂ…オイルタンク
１２…キャップ
１２ａ…燃料タンクのキャップ
１２ｂ…オイルタンクのキャップ
１３…充填口
１５…雄ねじ部
１６…雌ねじ部
１９…摘み
２０…フランジ
２１…シール部材
２３…雄ねじ部のねじ山の山形突部
２４…雄ねじ部のねじ山のストッパ段部
２５…雌ねじ部のねじ溝の突起部
２６…タンクの充填口の内周面
２７…キャップの摘みに付された標示
２８ａ，２８ｂ…タンクの充填口の周りに付されたマーク
【図１】
2017047954.tif 000003
【図２】
2017047954.tif 000004
【図３】
2017047954.tif 000005
【図４】
2017047954.tif 000006
【図５】
2017047954.tif 000007
【図６】
2017047954.tif 000008
【図７】
2017047954.tif 000009
【図８】
2017047954.tif 000010